(57)【要約】【課題】接続部材の組付け作業性を向上させること。【解決手段】電子部品ＥＰとバスバ３０，４０を内方で電気的に接続させる複数の電気配線ブロック１０，２０と、それぞれのバスバの電気接続部３５，４５を電気的に接続させる接続部材５０と、を備え、接続部材は、互いに対向配置し、収容空間５３に収容されたそれぞれの電気接続部の他方の壁面に押圧力を作用させながら挟み込む２つの押圧壁体５１と、差し込み口５４とは逆側でそれぞれの押圧壁体を連結させる連結壁体５２と、を有し、２つの電気配線ブロックの内の少なくとも一方の収容室は、収容されているそれぞれの電気接続部に対して接続部材を差し込み挿入する際の接続部材の挿入口１３ｂと、挿入口から挿入された接続部材を案内し且つ接続部材を差し込み口からそれぞれの電気接続部に対して差し込み挿入させる挿入ガイド構造６０と、を有すること。【選択図】図４
2020010465.tif 000002
【特許請求の範囲】
【請求項１】
電子部品とバスバを内方で電気的に接続させる複数の電気配線ブロックと、
相互間での接合対象となる２つの前記電気配線ブロックの間でそれぞれの前記バスバの電気接続部を電気的に接続させる接続部材と、
を備え、
接合対象となる２つの前記電気配線ブロックの内の少なくとも一方は、それぞれの前記電気接続部と前記接続部材とを収容する収容室を有し、
前記接続部材は、それぞれの前記電気接続部が一方の壁面同士を互いに重ね合わせて収容される収容空間と、それぞれの前記電気接続部に差し込み挿入する際の差し込み口と、互いに対向配置し、前記収容空間に収容されたそれぞれの前記電気接続部の他方の壁面に押圧力を作用させながら挟み込む２つの押圧壁体と、前記差し込み口とは逆側でそれぞれの前記押圧壁体を連結させる連結壁体と、を有し、
前記収容室は、収容されているそれぞれの前記電気接続部に対して前記接続部材を差し込み挿入する際の前記接続部材の挿入口と、前記挿入口から挿入された前記接続部材を案内し且つ前記接続部材を前記差し込み口からそれぞれの前記電気接続部に対して差し込み挿入させる挿入ガイド構造と、を有することを特徴とした電気配線ブロック接合体。
【請求項２】
前記収容室の内壁面は、一方の前記電気接続部の前記他方の壁面に対向配置される第１対向壁面と、他方の前記電気接続部の前記他方の壁面に対向配置される第２対向壁面と、を有し、
前記挿入ガイド構造は、前記第１対向壁面から一方の前記電気接続部の前記他方の壁面に向けて突出させ且つ少なくとも前記接続部材の前記挿入口からの挿入方向に向けて延在させた第１挿入ガイド部と、前記第２対向壁面から他方の前記電気接続部の前記他方の壁面に向けて突出させ且つその突出方向で前記第１挿入ガイド部に対向配置させ且つ少なくとも前記接続部材の前記挿入口からの挿入方向に向けて延在させた第２挿入ガイド部と、を備えることを特徴とした請求項１に記載の電気配線ブロック接合体。
【請求項３】
前記収容室の前記内壁面は、前記第１及び第２の対向壁面の対向配置方向と前記接続部材の前記挿入口からの挿入方向とに対する直交方向にて、前記接続部材の一端に対向配置される第３対向壁面と、前記接続部材の他端に対向配置される第４対向壁面と、を有し、
前記挿入ガイド構造は、前記接続部材を前記差し込み口からそれぞれの前記電気接続部に対して差し込み挿入させる際に前記接続部材の前記一端を案内することが可能で、かつ、前記直交方向で前記接続部材の前記一端を係止することが可能な第３挿入ガイド部として前記第３対向壁面を利用し、前記接続部材を前記差し込み口からそれぞれの前記電気接続部に対して差し込み挿入させる際に前記接続部材の前記他端を案内することが可能で、かつ、前記直交方向で前記接続部材の前記他端を係止することが可能な第４挿入ガイド部として前記第４対向壁面を利用することを特徴とした請求項２に記載の電気配線ブロック接合体。
【請求項４】
前記収容室は、収容されているそれぞれの前記電気接続部の前記一方の壁面同士を互いに重ね合わせた状態で、それぞれの前記電気接続部を各々の前記他方の壁面側から挟持するバスバ挟持構造を有することを特徴とした請求項１，２又は３に記載の電気配線ブロック接合体。
【請求項５】
電子部品と、
バスバと、
前記電子部品と前記バスバを内方で電気的に接続させる複数の電気配線ブロックと、
相互間での接合対象となる２つの前記電気配線ブロックの間でそれぞれの前記バスバの電気接続部を電気的に接続させる接続部材と、
複数の前記電気配線ブロックを収容する筐体と、
を備え、
接合対象となる２つの前記電気配線ブロックの内の少なくとも一方は、それぞれの前記電気接続部と前記接続部材とを収容する収容室を有し、
前記接続部材は、それぞれの前記電気接続部が一方の壁面同士を互いに重ね合わせて収容される収容空間と、それぞれの前記電気接続部に差し込み挿入する際の差し込み口と、互いに対向配置し、前記収容空間に収容されたそれぞれの前記電気接続部の他方の壁面に押圧力を作用させながら挟み込む２つの押圧壁体と、前記差し込み口とは逆側でそれぞれの前記押圧壁体を連結させる連結壁体と、を有し、
前記収容室は、収容されているそれぞれの前記電気接続部に対して前記接続部材を差し込み挿入する際の前記接続部材の挿入口と、前記挿入口から挿入された前記接続部材を案内し且つ前記接続部材を前記差し込み口からそれぞれの前記電気接続部に対して差し込み挿入させる挿入ガイド構造と、を有することを特徴とした電気接続箱。
【請求項６】
電子部品と、
バスバと、
電線と、
前記電子部品と前記バスバと前記電線を内方で電気的に接続させる複数の電気配線ブロックと、
相互間での接合対象となる２つの前記電気配線ブロックの間でそれぞれの前記バスバの電気接続部を電気的に接続させる接続部材と、
複数の前記電気配線ブロックを収容し且つ前記電線を外方に引き出す筐体と、
を備え、
接合対象となる２つの前記電気配線ブロックの内の少なくとも一方は、それぞれの前記電気接続部と前記接続部材とを収容する収容室を有し、
前記接続部材は、それぞれの前記電気接続部が一方の壁面同士を互いに重ね合わせて収容される収容空間と、それぞれの前記電気接続部に差し込み挿入する際の差し込み口と、互いに対向配置し、前記収容空間に収容されたそれぞれの前記電気接続部の他方の壁面に押圧力を作用させながら挟み込む２つの押圧壁体と、前記差し込み口とは逆側でそれぞれの前記押圧壁体を連結させる連結壁体と、を有し、
前記収容室は、収容されているそれぞれの前記電気接続部に対して前記接続部材を差し込み挿入する際の前記接続部材の挿入口と、前記挿入口から挿入された前記接続部材を案内し且つ前記接続部材を前記差し込み口からそれぞれの前記電気接続部に対して差し込み挿入させる挿入ガイド構造と、を有することを特徴としたワイヤハーネス。
【発明の詳細な説明】
【技術分野】
【０００１】
本発明は、電気配線ブロック接合体、電気接続箱及びワイヤハーネスに関する。
【背景技術】
【０００２】
従来、筐体と、この筐体に収容される電子部品と、を備えた電気接続箱が知られている（下記の特許文献１から５）。例えば、電気接続箱においては、電子部品が収容された電気配線ブロックを筐体に収容することによって、この筐体に電子部品が収容される。この電気接続箱においては、複数の電気配線ブロックを１つの筐体に収容することがあり、それぞれの電気配線ブロック同士を接合することによって、繋がり合う電気配線ブロックの電子部品同士を電気的に接続させる。例えば、それぞれの電気配線ブロックには、自らが収容する電子部品に対して電気的に接続された板状のバスバを設ける。この場合には、互いに繋がり合う電気配線ブロックのバスバ同士を接続部材で繋ぐことによって、それぞれの電気配線ブロックの電子部品同士を電気的に接続させる。その接続部材としては、例えば、バスバに差し込んで当該バスバを挟み込むクリップの如き形態のものが考えられる。例えば、下記の特許文献６には、接続対象のバスバ毎に設けた板バネ状のクリップを有する中継用バスバが開示されている。その中継用バスバは、それぞれのクリップを接続対象のバスバに差し込むことによって、接続対象のバスバ同士を電気的に接続させる。
【先行技術文献】
【特許文献】
【０００３】
【特許文献１】特開２００４−２０１４４８号公報
【特許文献２】特開平９−３０８０４７号公報
【特許文献３】特開２００７−１２９７９０号公報
【特許文献４】特開２００４−１６６３２２号公報
【特許文献５】特開２００２−３１５１５６号公報
【特許文献６】特開２０１１−１７２３９３号公報
【発明の概要】
【発明が解決しようとする課題】
【０００４】
ところで、複数の電気配線ブロックの接合体（電気配線ブロック接合体）は、それぞれのバスバの電気接続部と接続部材とを収容する収容室を有している場合がある。この場合には、例えば、その収容室の中に収められている電気接続部に対して接続部材を差し込み挿入していくことによって、それぞれのバスバ同士を電気的に接続させる。そのような接続構造体においては、収容室の中に接続部材を挿入しつつ、その接続部材の電気接続部に対する差し込み位置を確認しながら、この接続部材を電気接続部に差し込み挿入していく必要がある。しかしながら、この接続構造体においては、必ずしも差し込み位置を目視等で確認できるとは限らず、接続部材の組付け作業性という観点で改善の余地がある。
【０００５】
そこで、本発明は、接続部材の組付け作業性を向上させることが可能な電気配線ブロック接合体、電気接続箱及びワイヤハーネスを提供することを、その目的とする。
【課題を解決するための手段】
【０００６】
上記目的を達成する為、本発明に係る電気配線ブロック接合体は、電子部品とバスバを内方で電気的に接続させる複数の電気配線ブロックと、相互間での接合対象となる２つの前記電気配線ブロックの間でそれぞれの前記バスバの電気接続部を電気的に接続させる接続部材と、を備える。そして、接合対象となる２つの前記電気配線ブロックの内の少なくとも一方は、それぞれの前記電気接続部と前記接続部材とを収容する収容室を有し、前記接続部材は、それぞれの前記電気接続部が一方の壁面同士を互いに重ね合わせて収容される収容空間と、それぞれの前記電気接続部に差し込み挿入する際の差し込み口と、互いに対向配置し、前記収容空間に収容されたそれぞれの前記電気接続部の他方の壁面に押圧力を作用させながら挟み込む２つの押圧壁体と、前記差し込み口とは逆側でそれぞれの前記押圧壁体を連結させる連結壁体と、を有し、前記収容室は、収容されているそれぞれの前記電気接続部に対して前記接続部材を差し込み挿入する際の前記接続部材の挿入口と、前記挿入口から挿入された前記接続部材を案内し且つ前記接続部材を前記差し込み口からそれぞれの前記電気接続部に対して差し込み挿入させる挿入ガイド構造と、を有することを特徴としている。
【０００７】
ここで、前記収容室の内壁面は、一方の前記電気接続部の前記他方の壁面に対向配置される第１対向壁面と、他方の前記電気接続部の前記他方の壁面に対向配置される第２対向壁面と、を有し、前記挿入ガイド構造は、前記第１対向壁面から一方の前記電気接続部の前記他方の壁面に向けて突出させ且つ少なくとも前記接続部材の前記挿入口からの挿入方向に向けて延在させた第１挿入ガイド部と、前記第２対向壁面から他方の前記電気接続部の前記他方の壁面に向けて突出させ且つその突出方向で前記第１挿入ガイド部に対向配置させ且つ少なくとも前記接続部材の前記挿入口からの挿入方向に向けて延在させた第２挿入ガイド部と、を備えることが望ましい。
【０００８】
また、前記収容室の前記内壁面は、前記第１及び第２の対向壁面の対向配置方向と前記接続部材の前記挿入口からの挿入方向とに対する直交方向にて、前記接続部材の一端に対向配置される第３対向壁面と、前記接続部材の他端に対向配置される第４対向壁面と、を有し、前記挿入ガイド構造は、前記接続部材を前記差し込み口からそれぞれの前記電気接続部に対して差し込み挿入させる際に前記接続部材の前記一端を案内することが可能で、かつ、前記直交方向で前記接続部材の前記一端を係止することが可能な第３挿入ガイド部として前記第３対向壁面を利用し、前記接続部材を前記差し込み口からそれぞれの前記電気接続部に対して差し込み挿入させる際に前記接続部材の前記他端を案内することが可能で、かつ、前記直交方向で前記接続部材の前記他端を係止することが可能な第４挿入ガイド部として前記第４対向壁面を利用することが望ましい。
【０００９】
また、前記収容室は、収容されているそれぞれの前記電気接続部の前記一方の壁面同士を互いに重ね合わせた状態で、それぞれの前記電気接続部を各々の前記他方の壁面側から挟持するバスバ挟持構造を有することが望ましい。
【００１０】
また、上記目的を達成する為、本発明に係る電気接続箱は、電子部品と、バスバと、前記電子部品と前記バスバを内方で電気的に接続させる複数の電気配線ブロックと、相互間での接合対象となる２つの前記電気配線ブロックの間でそれぞれの前記バスバの電気接続部を電気的に接続させる接続部材と、複数の前記電気配線ブロックを収容する筐体と、を備える。そして、接合対象となる２つの前記電気配線ブロックの内の少なくとも一方は、それぞれの前記電気接続部と前記接続部材とを収容する収容室を有し、前記接続部材は、それぞれの前記電気接続部が一方の壁面同士を互いに重ね合わせて収容される収容空間と、それぞれの前記電気接続部に差し込み挿入する際の差し込み口と、互いに対向配置し、前記収容空間に収容されたそれぞれの前記電気接続部の他方の壁面に押圧力を作用させながら挟み込む２つの押圧壁体と、前記差し込み口とは逆側でそれぞれの前記押圧壁体を連結させる連結壁体と、を有し、前記収容室は、収容されているそれぞれの前記電気接続部に対して前記接続部材を差し込み挿入する際の前記接続部材の挿入口と、前記挿入口から挿入された前記接続部材を案内し且つ前記接続部材を前記差し込み口からそれぞれの前記電気接続部に対して差し込み挿入させる挿入ガイド構造と、を有することを特徴としている。
【００１１】
また、上記目的を達成する為、本発明に係るワイヤハーネスは、電子部品と、バスバと、電線と、前記電子部品と前記バスバと前記電線を内方で電気的に接続させる複数の電気配線ブロックと、相互間での接合対象となる２つの前記電気配線ブロックの間でそれぞれの前記バスバの電気接続部を電気的に接続させる接続部材と、複数の前記電気配線ブロックを収容し且つ前記電線を外方に引き出す筐体と、を備える。そして、接合対象となる２つの前記電気配線ブロックの内の少なくとも一方は、それぞれの前記電気接続部と前記接続部材とを収容する収容室を有し、前記接続部材は、それぞれの前記電気接続部が一方の壁面同士を互いに重ね合わせて収容される収容空間と、それぞれの前記電気接続部に差し込み挿入する際の差し込み口と、互いに対向配置し、前記収容空間に収容されたそれぞれの前記電気接続部の他方の壁面に押圧力を作用させながら挟み込む２つの押圧壁体と、前記差し込み口とは逆側でそれぞれの前記押圧壁体を連結させる連結壁体と、を有し、前記収容室は、収容されているそれぞれの前記電気接続部に対して前記接続部材を差し込み挿入する際の前記接続部材の挿入口と、前記挿入口から挿入された前記接続部材を案内し且つ前記接続部材を前記差し込み口からそれぞれの前記電気接続部に対して差し込み挿入させる挿入ガイド構造と、を有することを特徴としている。
【発明の効果】
【００１２】
本発明に係る電気配線ブロック接合体は、挿入ガイド構造によって、挿入口から挿入された接続部材を案内し、かつ、その接続部材を差し込み口からそれぞれの電気接続部に対して差し込み挿入させることができる。つまり、この電気配線ブロック接合体は、接続部材をそれぞれの電気接続部に組み付ける際の相互間の位置ずれを抑えることが可能であり、その接続部材の組付け作業性を向上させることができる。更に、本発明に係る電気接続箱及びワイヤハーネスは、その電気配線ブロック接合体を備えているので、この電気配線ブロック接合体が奏する効果を同様に得ることができる。
【図面の簡単な説明】
【００１３】
【図１】図１は、実施形態の電気配線ブロック接合体、電気接続箱及びワイヤハーネスを示す斜視図である。
【図２】図２は、実施形態の電気配線ブロック接合体を第１電気配線ブロックと第２電気配線ブロックとに分離した分解斜視図である。
【図３】図３は、挿入ガイド構造について説明する斜視図である。
【図４】図４は、挿入ガイド構造とバスバ挟持構造について説明する上面図である。
【図５】図５は、図４のＸ１−Ｘ１線断面を９０度傾けて示した図である。
【図６】図６は、第１電気配線ブロックの分解斜視図である。
【図７】図７は、第２電気配線ブロックの分解斜視図である。
【図８】図８は、挿入ガイド構造について説明する分解斜視図である。
【図９】図９は、挿入ガイド構造について説明する分解斜視図である。
【図１０】図１０は、挿入ガイド構造について説明する断面図である。
【図１１】図１１は、バスバ挟持構造について説明する斜視図である。
【発明を実施するための形態】
【００１４】
以下に、本発明に係る電気配線ブロック接合体、電気接続箱及びワイヤハーネスの実施形態を図面に基づいて詳細に説明する。尚、この実施形態によりこの発明が限定されるものではない。
【００１５】
［実施形態］
本発明に係る電気配線ブロック接合体、電気接続箱及びワイヤハーネスの実施形態の１つを図１から図１１に基づいて説明する。
【００１６】
図１及び図２の符号１は、本実施形態の電気配線ブロック接合体を示す。また、図１の符号ＪＢと符号ＷＨは、各々、その電気配線ブロック接合体１を備えた本実施形態の電気接続箱と、この電気接続箱ＪＢを備えた本実施形態のワイヤハーネスと、を示す。
【００１７】
電気配線ブロック接合体１とは、電子部品ＥＰを収容する複数の電気配線ブロック（後述する第１電気配線ブロック１０と第２電気配線ブロック２０）が接合されたものである（図１及び図２）。また、電気接続箱ＪＢとは、筐体ＪＢａに複数の電気配線ブロックが電子部品ＥＰと共に収容されたものである（図１）。その筐体ＪＢａには、少なくとも１つの電気配線ブロック接合体１が収容される。よって、この電気接続箱ＪＢは、電気配線ブロック接合体１とは別の電気配線ブロック接合体や電気配線ブロックが筐体ＪＢａに収容される場合もある。電気配線ブロック接合体１は、その筐体ＪＢａに周知のロック機構（図示略）等を介して保持される。ワイヤハーネスＷＨとは、その電気接続箱ＪＢの電子部品ＥＰに対して電気的に接続された電線（電力供給線や信号線等）Ｗｅを筐体ＪＢａの内方から外方に引き出したものである（図１）。尚、図中の筐体ＪＢａは、フレームの外壁のみを示した概念図であり、このフレームの２つの開口を各々のカバーで塞いでいる。
【００１８】
電気接続箱ＪＢは、電線Ｗｅと共にワイヤハーネスＷＨとして、例えば、車両（図示略）のエンジンコンパートメント等に設置される。この電気接続箱ＪＢにおいては、車両に搭載された接続対象物（図示略）が電子部品ＥＰに対して電線Ｗｅを介して電気的に接続されている。例えば、この電気接続箱ＪＢにおいては、電子部品ＥＰに対して少なくとも２本の電線Ｗｅを電気的に接続し、この電子部品ＥＰを介して少なくとも２つの接続対象物の間を電気的に繋ぐ。電子部品ＥＰとは、例えば、リレー、ヒューズ等の回路保護部品、コネクタ、端子金具などのことを指している。本実施形態では、回路基板、電子制御ユニット（いわゆるＥＣＵ）等の電子機器についても、筐体ＪＢａに収容される電子部品ＥＰの一形態として考える。また、接続対象物とは、二次電池などの電源、電気機器（アクチュエータ等）などの負荷、センサなどのことを指している。
【００１９】
以下に、電気配線ブロック接合体１について具体的に説明する。
【００２０】
電気配線ブロック接合体１は、先に示したように、複数の電気配線ブロックが接合されたものである。電気配線ブロックとは、電子部品ＥＰの他にバスバも収容し、その電子部品ＥＰとバスバを内方で電気的に接続させるものである。この電気配線ブロック接合体１においては、相互間での接合対象となる２つの電気配線ブロックを接合させ、それぞれの電気配線ブロックに収容されたバスバ同士を結合させることによって、それぞれのバスバを電気的に接続させる。この電気配線ブロック接合体１は、後で詳述するが、それぞれのバスバの電気接続部を電気的に接続させる接続部材を備えている。
【００２１】
ここでは、２つの電気配線ブロック（第１電気配線ブロック１０、第２電気配線ブロック２０）を備えた電気配線ブロック接合体１について例示する（図１及び図２）。第１電気配線ブロック１０（図１から図６）と第２電気配線ブロック２０（図１、図２及び図７）は、各々、合成樹脂等の絶縁性材料で成形する。
【００２２】
第１電気配線ブロック１０は、電子部品ＥＰとして回路保護部品ＥＰ１を収容すると共に、バスバ３０を収容する（図６）。この第１電気配線ブロック１０には、回路保護部品ＥＰ１を収容及び保持する第１収容室１１と、バスバ３０を収容及び保持する第２収容室１２と、が形成されている。この第１電気配線ブロック１０においては、６つの回路保護部品ＥＰ１を収容し、それぞれの回路保護部品ＥＰ１を１つのバスバ３０を介して電気的に接続する。よって、この例示では、第１収容室１１が格子状に６つ並べて配置されており、それぞれの第１収容室１１に開口部１１ａを介して回路保護部品ＥＰ１が１つずつ収容される。また、それぞれの第１収容室１１には、第２収容室１２に収容したバスバ３０の端子接続部３１が各々挿入されている。従って、回路保護部品ＥＰ１は、第１収容室１１に収容した際に、バスバ３０に対して端子接続部３１を介して物理的且つ電気的に接続される。
【００２３】
ここで、バスバ３０は、金属等の導電性材料で成形する。この例示のバスバ３０は、銅板等の金属板を母材にしてプレス成形された板状のものである（図６及び図８）。このバスバ３０は、回路保護部品ＥＰ１毎の６つの端子接続部３１を有している。この例示の端子接続部３１は、所謂雄タブ型に形成されており、回路保護部品ＥＰ１の一方の雌型の端子接続部（図示略）に挿入され且つ嵌合される。このバスバ３０は、同一平面上で略等間隔に並べられた３つの端子接続部３１の組み合わせを２組有しており、それぞれの組み合わせを対向配置している。このバスバ３０は、一方の組み合わせの３つの端子接続部３１を同一平面上で連結させる矩形の第１連結部３２と、他方の組み合わせの３つの端子接続部３１を同一平面上で連結させる矩形の第２連結部３３と、を有する。このバスバ３０においては、それぞれの端子接続部３１を第１連結部３２と第２連結部３３に対して同一方向に向けて突出させ且つ延在させており、その延在方向が回路保護部品ＥＰ１の端子接続部との挿抜方向になる。更に、このバスバ３０は、第１連結部３２と第２連結部３３を端子接続部３１とは逆側で連結させる矩形の第３連結部３４を有する。このバスバ３０においては、６つの端子接続部３１と第１連結部３２と第２連結部３３と第３連結部３４とで主体部分が形成されている。
【００２４】
この第１電気配線ブロック１０においては、回路保護部品ＥＰ１の他方の雌型の端子接続部（図示略）に電線Ｗｅの端部が電気的に接続される。その電線Ｗｅは、端部に取り付けた例えば雄タブ型の端子金具を介して回路保護部品ＥＰ１に物理的且つ電気的に接続されている。この電線Ｗｅは、回路保護部品ＥＰ１毎に設けられている。
【００２５】
第２電気配線ブロック２０は、電子部品ＥＰとしてリレーＥＰ２を収容すると共に、バスバ４０を収容する（図７）。この第２電気配線ブロック２０には、リレーＥＰ２を収容及び保持する第１収容室２１と、バスバ４０を収容及び保持する第２収容室２２と、が形成されている。この第２電気配線ブロック２０においては、１０個のリレーＥＰ２を収容し、それぞれのリレーＥＰ２を１つのバスバ４０を介して電気的に接続する。よって、この例示では、第１収容室２１が格子状に１０個並べて配置されており、それぞれの第１収容室２１に開口部２１ａを介してリレーＥＰ２が１つずつ収容される。また、それぞれの第１収容室２１には、第２収容室２２に収容したバスバ４０の端子接続部４１が各々挿入されている。従って、リレーＥＰ２は、第１収容室２１に収容した際に、バスバ４０に対して端子接続部４１を介して物理的且つ電気的に接続される。
【００２６】
ここで、バスバ４０は、金属等の導電性材料で成形する。この例示のバスバ４０は、第１電気配線ブロック１０のバスバ３０と同じように、銅板等の金属板を母材にしてプレス成形された板状のものである（図７及び図８）。このバスバ４０は、リレーＥＰ２毎の１０個の端子接続部４１を有している。この例示の端子接続部４１は、所謂音叉端子型に形成されており、リレーＥＰ２の一方の雄タブ型の端子接続部ＥＰ２ａ（図７）が挿入されることで、このリレーＥＰ２の端子接続部ＥＰ２ａを挟み込む。このバスバ４０は、同一平面上で略等間隔に並べられた５つの端子接続部４１の組み合わせを２組有しており、それぞれの組み合わせを対向配置している。このバスバ４０は、一方の組み合わせの５つの端子接続部４１を同一平面上で連結させる矩形の第１連結部４２と、他方の組み合わせの５つの端子接続部４１を同一平面上で連結させる矩形の第２連結部４３と、を有する。このバスバ４０においては、それぞれの端子接続部４１を第１連結部４２と第２連結部４３に対して同一方向に向けて突出させ且つ延在させており、その延在方向がリレーＥＰ２の端子接続部ＥＰ２ａとの挿抜方向になる。更に、このバスバ４０は、第１連結部４２と第２連結部４３を端子接続部４１とは逆側で連結させる矩形の第３連結部４４を有する。このバスバ４０においては、１０個の端子接続部４１と第１連結部４２と第２連結部４３と第３連結部４４とで主体部分が形成されている。
【００２７】
この第２電気配線ブロック２０においては、リレーＥＰ２の他方の雄タブ型の端子接続部ＥＰ２ｂ（図７）に電線Ｗｅの端部が電気的に接続される。その電線Ｗｅは、端部に取り付けた例えば音叉端子型の端子金具を介してリレーＥＰ２に物理的且つ電気的に接続されている。この電線Ｗｅは、リレーＥＰ２毎に設けられている。
【００２８】
ここで示した第１電気配線ブロック１０と第２電気配線ブロック２０は、第１収容室１１の開口部１１ａ（回路保護部品ＥＰ１の挿入口）と第１収容室２１の開口部２１ａ（リレーＥＰ２の挿入口）とが同じ向きに口を開けるように接合する。先に示したように、この電気配線ブロック接合体１においては、第１電気配線ブロック１０と第２電気配線ブロック２０を接合させ、それぞれのバスバ３０，４０同士を結合させることによって、それぞれのバスバ３０，４０を電気的に接続させる。ここでは、それぞれのバスバ３０，４０の電気接続部３５，４５を結合させる（図３から図５、図８及び図９）。それぞれのバスバ３０，４０は、そのそれぞれの電気接続部３５，４５を介して結合され且つ電気的に接続される。
【００２９】
バスバ３０においては、主体部分（６つの端子接続部３１と第１連結部３２と第２連結部３３と第３連結部３４）から突出させた状態で電気接続部３５を設ける。このバスバ３０においては、第１連結部３２の端部（一辺）から電気接続部３５を突出させる。ここでは、第１連結部３２において、３つの端子接続部３１の配列方向における一方の端部に電気接続部３５を設けている。この例示の電気接続部３５は、その第１連結部３２と同一平面上で矩形の板状に形成されている（図６及び図８）。また、バスバ４０においては、主体部分（１０個の端子接続部４１と第１連結部４２と第２連結部４３と第３連結部４４）から突出させた状態で電気接続部４５を設ける。このバスバ４０においては、第１連結部４２の端部（一辺）から電気接続部４５を突出させる。ここでは、第１連結部４２において、５つの端子接続部４１の配列方向における一方の端部に電気接続部４５を設けている。この例示の電気接続部４５は、その第１連結部４２と同一平面上で矩形の板状に形成されている（図７及び図８）。
【００３０】
この電気配線ブロック接合体１は、それぞれの電気接続部３５，４５を電気的に接続させる接続部材５０を備えている（図２から図５、図８及び図９）。その接続部材５０は、それぞれの電気接続部３５，４５を結合させると共に、その結合状態を保つための部材である。この接続部材５０は、それぞれの電気接続部３５，４５を結合させたまま保持することによって、これらを電気的に接続させる。
【００３１】
接続部材５０は、一方の壁面同士が対向配置されているそれぞれの電気接続部３５，４５に差し込んでいくことによって、その一方の壁面同士が互いに重ね合わされた状態でそれぞれの電気接続部３５，４５を結合し、かつ、それぞれの電気接続部３５，４５を結合状態のまま保持する。
【００３２】
そこで、この接続部材５０は、互いに対向配置し、それぞれの電気接続部３５，４５の他方の壁面に押圧力を作用させながら挟み込む２つの押圧壁体５１を有している（図２、図４、図５、図８及び図９）。また、この接続部材５０は、それぞれの電気接続部３５，４５への差し込み方向とは逆側でそれぞれの押圧壁体５１を連結させる連結壁体５２を有している（図２から図５、図８及び図９）。この接続部材５０においては、その２つの押圧壁体５１と連結壁体５２とで囲まれた空間が、それぞれの電気接続部３５，４５が一方の壁面同士を互いに重ね合わせて収容される収容空間５３となる（図２、図５、図８及び図９）。また、この接続部材５０においては、２つの押圧壁体５１における連結壁体５２とは逆側の端部間が、それぞれの電気接続部３５，４５に差し込み挿入する際の差し込み口５４となる（図２、図５、図８及び図９）。
【００３３】
接続部材５０は、その差し込み口５４からそれぞれの電気接続部３５，４５に対して差し込み挿入する。この接続部材５０においては、その差し込み挿入の進行と共に、一方の壁面同士が互いに重ね合わされたまま、それぞれの電気接続部３５，４５が差し込み口５４とは逆側の連結壁体５２に向けて収容空間５３の中を移動する。この接続部材５０においては、それぞれの電気接続部３５，４５が所定位置まで収容空間５３の中を移動することによって、それぞれの電気接続部３５，４５の収容空間５３への収容が完了する。２つの押圧壁体５１は、その収容空間５３に収容されたそれぞれの電気接続部３５，４５の他方の壁面に押圧力を作用させながら挟み込む。
【００３４】
接続部材５０は、金属等の導電性材料で成形する。この例示の接続部材５０は、銅板等の金属板を母材にしてプレス成形された板状のものである。この例示の接続部材５０は、２つの押圧壁体５１と連結壁体５２とを各々矩形の片体状に形成している。押圧壁体５１は、差し込み口５４側を収容空間５３側にオフセットさせた矩形の押圧部５１ａと、その押圧部５１ａと連結壁体５２との間の矩形の根元部５１ｂと、を有する（図２、図５、図８及び図９）。押圧部５１ａは、電気接続部３５（４５）の他方の壁面に面接触させた状態で、この他方の壁面に押圧力を作用させる。一方、根元部５１ｂは、その電気接続部３５（４５）の他方の壁面との間に隙間を形成する。
【００３５】
この接続部材５０は、連結壁体５２側を支点にしてそれぞれの押圧壁体５１を撓ませることができ、それぞれの押圧壁体５１の対向配置された内壁面の間隔を変えることができる。そして、この接続部材５０においては、その撓みを弾性域内で発生させることによって、それぞれの押圧壁体５１の間にバネ力を発生させることができる。この接続部材５０は、収容空間５３にそれぞれの電気接続部３５，４５が収容される前に、それぞれの押圧部５１ａの対向配置された内壁面の間隔がそれぞれの電気接続部３５，４５の板厚の合計値よりも狭くなるように形成する。これにより、この接続部材５０においては、それぞれの電気接続部３５，４５の収容空間５３への挿入に伴い、それぞれの電気接続部３５，４５の他方の壁面によって、それぞれの押圧部５１ａが内壁面側から押し広げられ、それぞれの押圧壁体５１に撓みが発生する。この接続部材５０は、その撓みを弾性域内で発生させるように形成する。これにより、それぞれの押圧部５１ａは、それぞれの電気接続部３５，４５の他方の壁面に押圧力を作用させることができ、それぞれの電気接続部３５，４５を重ね合わせた状態のまま挟持することができる。よって、この接続部材５０は、それぞれのバスバ３０，４０を結合させ、互いの電気的な接続状態を保持することができる。
【００３６】
この電気配線ブロック接合体１においては、接合対象となる第１電気配線ブロック１０と第２電気配線ブロック２０の内の少なくとも一方に、それぞれの電気接続部３５，４５と接続部材５０とを収容する収容室を設ける。ここでは、その収容室としての第３収容室１３を第１電気配線ブロック１０に設けている（図１から図６、図８及び図９）。第３収容室１３は、両端を開口させた筒状に形成されている。この第３収容室１３には、その筒軸方向に沿ってそれぞれの電気接続部３５，４５と接続部材５０とが挿入される。この例示の第３収容室１３は、角筒状に形成されており、それぞれの電気接続部３５，４５を挿入するための第１挿入口１３ａ（図３、図５及び図８）と、接続部材５０を挿入するための第２挿入口１３ｂ（図１から図６、図８及び図９）と、を有する。この第３収容室１３においては、第２挿入口１３ｂが第１収容室１１の開口部１１ａと同じ向きに口を開けている。
【００３７】
この第１電気配線ブロック１０においては、第２収容室１２にバスバ３０が収容された際に、第１挿入口１３ａから第３収容室１３に電気接続部３５が収容される。また、その第３収容室１３には、第１電気配線ブロック１０と第２電気配線ブロック２０とが接合された際に、バスバ４０の電気接続部４５が第１挿入口１３ａから収容される。
【００３８】
この第３収容室１３の内壁面１３ｃは、一方の電気接続部３５の他方の壁面に対向配置される第１対向壁面１３ｃ１と、他方の電気接続部４５の他方の壁面に対向配置される第２対向壁面１３ｃ２と、を有する（図４）。また、この内壁面１３ｃは、第１及び第２の対向壁面１３ｃ１，１３ｃ２の対向配置方向と接続部材５０の第２挿入口１３ｂからの挿入方向とに対する直交方向（以下、「接続部材５０の幅方向」という。）で互いに対向配置された第３及び第４の対向壁面１３ｃ３，１３ｃ４を有する（図４）。
【００３９】
この第３収容室１３には、それぞれの電気接続部３５，４５が収容されている状態で、接続部材５０が第２挿入口１３ｂから収容される。その接続部材５０は、その第２挿入口１３ｂから第３収容室１３に挿入していきながら、この第３収容室１３に収容されているそれぞれの電気接続部３５，４５に対して差し込み口５４から差し込み挿入する。この接続部材５０においては、第３収容室１３の中で、一方の押圧壁体５１が第１対向壁面１３ｃ１に対して間隔を空けて対向配置され、他方の押圧壁体５１が第２対向壁面１３ｃ２に対して間隔を空けて対向配置されている（図４）。また、この接続部材５０においては、第３収容室１３の中で、幅方向における一端が第３対向壁面１３ｃ３に対して間隔を空けて対向配置され、幅方向における他端が第４対向壁面１３ｃ４に対して間隔を空けて対向配置されている（図４）。
【００４０】
ここで、第３収容室１３は、第２挿入口１３ｂから挿入された接続部材５０を案内し、かつ、その接続部材５０を差し込み口５４からそれぞれの電気接続部３５，４５に対して差し込み挿入させる挿入ガイド構造６０を有する（図３から図５、図８及び図９）。
【００４１】
例えば、その挿入ガイド構造６０は、第３収容室１３の内壁面１３ｃに設けた第１挿入ガイド部６１と第２挿入ガイド部６２とを備える（図４及び図５）。ここでは、第１挿入ガイド部６１を第１対向壁面１３ｃ１に設け、第２挿入ガイド部６２を第２対向壁面１３ｃ２に設ける。第１挿入ガイド部６１は、第１対向壁面１３ｃ１から一方の電気接続部３５の他方の壁面に向けて突出させ、かつ、少なくとも接続部材５０の第２挿入口１３ｂからの挿入方向に向けて延在させる（図４及び図５）。一方、第２挿入ガイド部６２は、第２対向壁面１３ｃ２から他方の電気接続部４５の他方の壁面に向けて突出させ、かつ、その突出方向で第１挿入ガイド部６１に対向配置させ、かつ、少なくとも接続部材５０の第２挿入口１３ｂからの挿入方向に向けて延在させる（図３から図５、図８及び図９）。
【００４２】
その一対の第１挿入ガイド部６１と第２挿入ガイド部６２は、第２挿入口１３ｂから挿入された接続部材５０におけるそれぞれの押圧壁体５１の外壁面側を案内し、かつ、その接続部材５０を差し込み口５４からそれぞれの電気接続部３５，４５に対して差し込み挿入させるように形成する。
【００４３】
この例示の第１挿入ガイド部６１は、接続部材５０の第２挿入口１３ｂからの挿入方向に向けて延在させ、その延在方向に対する直交断面が一方の電気接続部３５の他方の壁面側を頂点とする三角形となるように形成している。一方、この例示の第２挿入ガイド部６２は、接続部材５０の第２挿入口１３ｂからの挿入方向に向けて延在させ、その延在方向に対する直交断面が他方の電気接続部４５の他方の壁面側を頂点とする三角形となるように形成している。その一対の第１挿入ガイド部６１と第２挿入ガイド部６２は、各々の頂点でそれぞれの電気接続部３５，４５を他方の壁面側から挟持させるように形成してもよい。また、この一対の第１挿入ガイド部６１と第２挿入ガイド部６２は、接続部材５０に対しての案内機能を確保し得る範囲内で、第１挿入ガイド部６１の頂点と一方の電気接続部３５の他方の壁面との間に間隔が空き、かつ、第２挿入ガイド部６２の頂点と他方の電気接続部４５の他方の壁面との間に間隔が空くように形成してもよい。
【００４４】
この例示の挿入ガイド構造６０は、その一対の第１挿入ガイド部６１と第２挿入ガイド部６２を２組備えている。それぞれの一対の第１挿入ガイド部６１と第２挿入ガイド部６２は、接続部材５０の幅方向に間隔を空けて配置している。
【００４５】
ここで、第１挿入ガイド部６１は、自らの突出方向にて、それぞれの押圧壁体５１における差し込み口５４側の外壁面（つまり、それぞれの押圧部５１ａにおける差し込み口５４側の外壁面）の間隔Ｄ０よりも、自らの頂点と一方の電気接続部３５の他方の壁面との間の間隔Ｄ１が狭くなるように形成する（図１０）。更に、第２挿入ガイド部６２は、自らの突出方向にて、その接続部材５０の間隔Ｄ０よりも、自らの頂点と他方の電気接続部４５の他方の壁面との間の間隔Ｄ２が狭くなるように形成する（図１０）。これにより、この挿入ガイド構造６０は、第１挿入ガイド部６１と一方の電気接続部３５の他方の壁面との間への接続部材５０の進入を抑え、かつ、第２挿入ガイド部６２と他方の電気接続部４５の他方の壁面との間への接続部材５０の進入を抑えることができる。よって、この挿入ガイド構造６０は、第３収容室１３に収容されているそれぞれの電気接続部３５，４５に対して、第２挿入口１３ｂから挿入された接続部材５０を差し込み口５４から差し込み挿入させることができる。
【００４６】
更に、この挿入ガイド構造６０は、接続部材５０を差し込み口５４からそれぞれの電気接続部３５，４５に対して差し込み挿入させる際に接続部材５０の幅方向における一端を案内することが可能で、かつ、接続部材５０の幅方向で接続部材５０の幅方向における一端を係止することが可能な第３挿入ガイド部と、接続部材５０を差し込み口５４からそれぞれの電気接続部３５，４５に対して差し込み挿入させる際に接続部材５０の幅方向における他端を案内することが可能で、かつ、接続部材５０の幅方向で接続部材５０の幅方向における他端を係止することが可能な第４挿入ガイド部と、を有する。
【００４７】
例えば、その第３挿入ガイド部と第４挿入ガイド部は、接続部材５０の幅方向における一端又は他端を係止した際に、それぞれの押圧壁体５１によるそれぞれの電気接続部３５，４５に対する挟持状態を保ち続けることができるように形成する。この条件の範囲内で、第３挿入ガイド部と第４挿入ガイド部は、それぞれの電気接続部３５，４５に対する幅方向への接続部材５０の位置ずれを許容する。この挿入ガイド構造６０では、第３挿入ガイド部として第３対向壁面１３ｃ３を利用し、第４挿入ガイド部として第４対向壁面１３ｃ４を利用する。
【００４８】
以上示したように、本実施形態の電気配線ブロック接合体１は、その挿入ガイド構造６０によって、第２挿入口１３ｂから挿入された接続部材５０を案内し、かつ、その接続部材５０を差し込み口５４からそれぞれの電気接続部３５，４５に対して差し込み挿入させることができる。つまり、この電気配線ブロック接合体１は、接続部材５０をそれぞれの電気接続部３５，４５に組み付ける際の相互間の位置ずれを抑えることが可能であり、その接続部材５０の組付け作業性を向上させることができる。
【００４９】
ところで、第３収容室１３においては、それぞれの電気接続部３５，４５に対して接続部材５０を差し込み口５４から差し込み挿入するために、それぞれの電気接続部３５，４５の一方の壁面同士が重ね合わされていることが望ましい。そこで、この第３収容室１３には、収容されているそれぞれの電気接続部３５，４５の一方の壁面同士を互いに重ね合わせた状態で、それぞれの電気接続部３５，４５を各々の他方の壁面側から挟持するバスバ挟持構造７０を設けている（図４、図５及び図１１）。
【００５０】
バスバ挟持構造７０は、第３収容室１３の内壁面１３ｃに設けた第１挟持部７１と第２挟持部７２とを備える（図４及び図５）。ここでは、第１挟持部７１を第１対向壁面１３ｃ１に設け、第２挟持部７２を第２対向壁面１３ｃ２に設ける。第１挟持部７１は、第１対向壁面１３ｃ１から一方の電気接続部３５の他方の壁面に向けて突出させ、かつ、少なくともそれぞれの電気接続部３５，４５の第１挿入口１３ａからの挿入方向に向けて延在させる（図４及び図５）。一方、第２挟持部７２は、第２対向壁面１３ｃ２から他方の電気接続部４５の他方の壁面に向けて突出させ、かつ、その突出方向で第１挟持部７１に対向配置させ、かつ、少なくともそれぞれの電気接続部３５，４５の第１挿入口１３ａからの挿入方向に向けて延在させる（図４、図５及び図１１）。
【００５１】
この例示の第１挟持部７１は、それぞれの電気接続部３５，４５の第１挿入口１３ａからの挿入方向に向けて延在させ、その延在方向に対する直交断面における一方の電気接続部３５の他方の壁面側がその他方の壁面側を頂点とする三角形となるように形成している。一方、この例示の第２挟持部７２は、それぞれの電気接続部３５，４５の第１挿入口１３ａからの挿入方向に向けて延在させ、その延在方向に対する直交断面における他方の電気接続部４５の他方の壁面側がその他方の壁面側を頂点とする三角形となるように形成している。その一対の第１挟持部７１と第２挟持部７２は、その間へのそれぞれの電気接続部３５，４５の挿入を可能にする範囲内で、各々の頂点でそれぞれの電気接続部３５，４５を他方の壁面側から挟持させるように形成する。
【００５２】
この例示のバスバ挟持構造７０は、その一対の第１挟持部７１と第２挟持部７２を２組備えている。それぞれの一対の第１挟持部７１と第２挟持部７２は、接続部材５０の幅方向に間隔を空けて、第３収容室１３の第１挿入口１３ａ側に配置している。
【００５３】
以上示したように、本実施形態の電気配線ブロック接合体１においては、そのバスバ挟持構造７０によって、一方の壁面同士が重ね合わされた状態でそれぞれの電気接続部３５，４５を第３収容室１３に収容することができる。このため、この電気配線ブロック接合体１においては、接続部材５０が第２挿入口１３ｂから挿入された際に、それぞれの電気接続部３５，４５に対して、その接続部材５０を差し込み口５４から差し込み挿入することができる。つまり、この電気配線ブロック接合体１においては、それぞれの電気接続部３５，４５の内の一方のみに接続部材５０が差し込み挿入されてしまうという事態を回避することができる。よって、この電気配線ブロック接合体１は、そのようなバスバ挟持構造７０を設けることによって、接続部材５０の組付け作業性を更に向上させることができる。
【００５４】
ここで、本実施形態の電気接続箱ＪＢ及びワイヤハーネスＷＨは、以上示した電気配線ブロック接合体１を備えているので、この電気配線ブロック接合体１が奏する効果を同様に得ることができる。
【符号の説明】
【００５５】
１  電気配線ブロック接合体
１０  第１電気配線ブロック
２０  第２電気配線ブロック
１３  第３収容室（収容室）
１３ｂ  第２挿入口（挿入口）
１３ｃ  内壁面
１３ｃ１  第１対向壁面
１３ｃ２  第２対向壁面
１３ｃ３  第３対向壁面（第３挿入ガイド部）
１３ｃ４  第４対向壁面（第４挿入ガイド部）
３０，４０  バスバ
３５，４５  電気接続部
５０  接続部材
５１  押圧壁体
５２  連結壁体
５３  収容空間
５４  差し込み口
６０  挿入ガイド構造
６１  第１挿入ガイド部
６２  第２挿入ガイド部
７０  バスバ挟持構造
７１  第１挟持部
７２  第１挟持部
ＥＰ  電子部品
ＪＢ  電気接続箱
ＪＢａ  筐体
Ｗｅ  電線
ＷＨ  ワイヤハーネス
【図１】
2020010465.tif 000003
【図２】
2020010465.tif 000004
【図３】
2020010465.tif 000005
【図４】
2020010465.tif 000006
【図５】
2020010465.tif 000007
【図６】
2020010465.tif 000008
【図７】
2020010465.tif 000009
【図８】
2020010465.tif 000010
【図９】
2020010465.tif 000011
【図１０】
2020010465.tif 000012
【図１１】
2020010465.tif 000013